(57)【特許請求の範囲】
【請求項１】
ある周波数で振動する標的の平均位置の周りの速度を計測する方法であって、
参照光であるレーザービームと標的（６）から拡散される物体光ビームとをホログラフィー材料の中で干渉させるステップと、
光電検出器により前記ホログラフィー材料から放出される光強度の変動を測定するステップとからなり、
前記標的は、前記周波数において前記レーザービームの波長より大きい振幅で前記振動の平均位置の周りを振動する標的であって、
前記ホログラフィー材料は、動的ホログラフィー材料であって、前記参照光と前記拡散された物体光が前記標的の振動状態を動的ホログラムとして記録するように、その応答時間が前記標的の振動の前記周波数の逆数より小さいものであり、かつ、この応答時間をτ、前記周波数をＦ、前記レーザビームの波長をλ、前記振動の振幅をδとしたときに、
Ｆδ＜４λ／（１０００τ）
の条件を満たすものであることを特徴とする前記標的の速度を計測する方法。
【請求項２】
１０ＫＨｚ以下の前記標的（６）の振動の周波数について検出が決定されることを特徴とする、請求項１に記載の標的（６）の速度計測方法。
【請求項３】
０．１μｍを越える前記標的（６）の振動の振幅について検出が決定されることを特徴とする、請求項１または２に記載の標的（６）の速度計測方法。
【請求項４】
λは前記レーザービームの波長であり、τは前記ホログラフィー材料（４）の応答時間であり、Ｆは前記振動の周波数であるときの、前記標的（６）の振動の振幅がλ／１０〜４λ／１０００τＦの間に含まれることを特徴とする、請求項１〜３のうちいずれか１項に記載の標的（６）の速度計測方法。
【請求項５】
参照光であるレーザビーム（３）と、１０ＫＨｚを下回る周波数において平均位置の周りに０．１μｍを越える振幅で振動する標的（６）に向けられたビーム（５）とに分けられるビームを生成するレーザー（１）と、これら２本のビームがその中で干渉を生じる動的ホログラフィー材料（４）と、前記ホログラフィー材料から放出される光強度の変動を測定する光電検出器とを備え、
前記標的は、前記周波数において前記レーザビームの波長より大きい振幅で前記振動の平均位置の周りを振動する標的であり、
前記ホログラフィー材料は、動的ホログラフィー材料であって、前記参照光と前記拡散された物体光が前記標的の振動状態を動的ホログラムとして形成するように、その応答時間が前記標的の振動の前記周波数の逆数より小さいものであり、かつ、この応答時間をτ、前記周波数をＦ、前記レーザビームの波長をλ、前記振動の振幅をδとしたときに、
Ｆδ＜４λ／（１０００τ）
の条件を満たすものであることを特徴とする標的の速度を計測する速度計。
【請求項６】
ビームの搬送が大径コアのマルチモードファイバーで実現されることを特徴とする、請求項５に記載の速度計。
【請求項７】
前記動的ホログラフィー材料（４）が、電圧をかけたフォトリフラクティブ材料の場合と同様に、Φγがほぼπ／２に等しくなるよう照明格子に対して前記ホログラムが調和する材料であることを特徴とする、請求項５または６に記載の速度計。
【請求項８】
前記動的ホログラフィー材料（４）が、前記ホログラムが、電界を適用しないフォトリフラクティブ材料の場合と同様に、照明格子に対してπ／２位相がずれている材料であり、Φγ＝π／２を得るために外的に補助位相ずれを実現する手段が含まれることを特徴とする、請求項５または６に記載の速度計。
【請求項９】
前記動的ホログラフィー材料（４）が、異方性回折構成で利用されるフォトリフラクティブ材料であることを特徴とする、請求項８に記載の速度計。
【請求項１０】
入射ビーム（３，５もしくは１４）の経路上に入射ビーム（３，５もしくは１４）を、ポンプ光はＸ軸に従い、信号光（１４）はこの方向の４５°の角度に従って偏光させるための１／２波板（１２）とポラライザー（１６）を含むことを特徴とする、請求項８に記載の速度計。
【請求項１１】
動的ホログラフィー材料（４）の後に、ＸおよびＹ方向に従う軸をもち、Ｘ軸の成分とＹ軸の成分を有する発せられた前記信号光（７）のＹ軸の成分をＸ軸に従って偏光された回折光（７）に対して位相をπ／２ずらす位相板（１３）を有し、前記の２つの成分はＸおよびＹ方向の４５°の角度に向けられた立方体偏光セパレータの中で干渉し、前記立方体偏光セパレータから出る２つのビームが２つの検出器（８）に向けられることを特徴とする、請求項１０に記載の速度計。
【発明の詳細な説明】
【０００１】
【発明の属する技術分野】
本発明は計量学の分野に関し、特に振動する物体の変位速度の測定に関する。
【０００２】
【従来の技術】
物体の速い動きを測定するには、ホログラフィー材料内で干渉する、直接固定ビームと振動する標的を照らす間接２次ビームとに分けられるレーザービームを利用した装置の使用が知られている。
【０００３】
例として、米国特許第３，８９９，９２１号は、静止ホログラムを利用し、平均時間でホログラフィーの原理を利用する装置について記述している。測定可能な振動の振幅を増幅するには（原則的に平均時間の技法により制限される）、先行技術のこの特許に記載された発明は、標的の変位の多少とも重要な部分を補償することを可能にする付属の装置を利用する装置に関する。この参照される装置は、この物体の変位のマッピングは可能であるものの、この振動の過渡的変化に追従できない。この参照される装置は、たとえば、過渡的に移動する物体上では機能しない。
【０００４】
Ｒ．Ｋ．ＩｎｇとＪ．Ｐ．Ｍｏｎｃｈａｌｉｎの論文「フォトリフラクティブ結晶内での２波混合による超音波の広帯域光検出」（Ａｐｐｌ．Ｐｈｙｓ．Ｌｅｔｔ．５９（１９９１）３２３３）とＡ．ＢｌｏｕｉｎとＪ．Ｐ．Ｍｏｎｃｈａｌｉｎの「フォトリフラクティブＧａＡｓ結晶内での２波混合による散乱表面の超音波動の検出」（Ａｐｐｌ．Ｐｈｙｓ．Ｌｅｔｔ．６５（１９９４）９３２））は、超音波の振動を検出するために２波混合の装置の利用を示している。
【０００５】
我々の装置が、振動する標的の瞬間速度を測定するのに対して、先行技術の文書に記載の組立ては変位の測定において機能する。さらに、この論文で示されたシステムは、波長（約０．５μｍ）を越える大きな変位を測定できないが、本発明は大きな変位（数μｍより大きい変位）の分析を行うために考案されたものである。
【０００６】
もうひとつの論文、Ａ．Ａ．
Ｋａｍｓｈｉｌｉｎ，Ｅ．Ｖ．Ｍｏｋｒｕｓｈｉｎａ著の「ホログラフィー振動計測におけるフォトリフラクティブ結晶の使用」（Ｓｏｖ．Ｔｅｃｈ．Ｐｈｙｓ．Ｌｅｔｔ．１２（１９８６）１４９）は、高周波数で大振幅の振動の検出を行うことを目的とした、２波混合装置内でのフォトリフラクティブ結晶の利用について述べている。この原理は、実は、平均時間でのホログラフィーの原理に非常に近いものである。ホログラムがπほど変化するところでは、そのホログラムは消え、回折が生じないことから、位相ずれがπであるラインのマッピングが得られる。
【０００７】
【発明が解決しようとする課題】
Ｓ．Ｂｒｅｕｇｎｏｔ、Ｍ．Ｄｅｆｏｕｒ、Ｊ．−Ｐ．Ｈｕｉｇｎａｒｄの論文「フォトリフラクティブ２波混合：弱信号光の場合の複雑な振幅ソリューション」（Ｏｐｔｉｃｓ  Ｃｏｍｍｕｎ．  １３４  （１９９７）  ５９９）では、２波混合に基づくヘテロダインまたはホモダイン検出の装置による振動検出方法について述べている。最初の仮定のひとつは、振動が応答時間に比べて速くなること、そして記録されるホログラムが振幅の大きい振動によって消されることである。ドップラーシフト（ヘテロダイン検出）の測定による速度測定の場合、これらの著者たちは、常に同じ方向に連続している格子の変位を検討し、本発明の場合のように、物体の振動の速度の測定の場合と同様に平均位置の周りを検討していない。
【０００８】
同様に、Ｔ．Ｊ．Ｈａｌｌ，Ｍ．Ａ．Ｆｉｄｄｙ，Ｍ．Ｓ．Ｎｅｒの論文「動的ホログラフィー干渉計を使用した光ファイバー音響センサー用検出器」（Ｏｐｔ．Ｌｅｔｔ．５（１９８０）４８５）は、音響振動を測定するためのホログラフィー装置の利用を示している。記述された装置は、格子の消失を避けるための弱振幅の振動によって高周波数以外では機能しない。
【０００９】
技術明細書に記載のこれらの装置は、小振幅で高周波数の振動変位に適用される。しかし、この技術明細書に記載のこれらの装置は、場合により大きな振幅の動きをもつ、低周波数で振動する標的の速度の測定には適用されない。
【００１０】
本発明の目的は、平均位置の周りに振動変位をもつ物体の速度を、無接触で、また事前の準備なしに、またこの物体の振動の速度のスペクトルをそれらの間に確立することができるように測定することである。この装置は、利用する光の波長にほぼ等しいかそれより大きい振幅をもち、対象周波数が低周波数（一般的に０〜１０ｋＨｚ）の領域に属する振動の測定を可能にしている。
【００１１】
本発明のもうひとつの目的は、物体の表面の状態に敏感でない測定を可能にすることであり、これにより、物体の表面を事前に準備する（磨く）ことなく作業を進めることができる。
【００１２】
【課題を解決するための手段】
本発明は、第１の意味において、超音波振動のセンサーの開発に既に利用されている動的ホログラフィー材料内の２波混合から成る方法に関する。この物体の測定点は、レーザー光源からのビームで照射される。測定点で反射および拡散された波は、同じレーザー光源からのポンプ波と同時に動的ホログラフィー材料内に送られる。これらの波は、動的ホログラフィー材料内に、その物体からの信号波の波面の構造のホログラムを記録する。このホログラムは、動的ホログラフィー材料から出た信号光と同時にセンサー上に送り出される局部発振光を与えるために、ポンプ光によって再び読まれる。ホログラフィーの特性によって、これらの２波（局部発振光と発信された信号波）は、同じであり、装置および利用する材料に依存して、位相がずれている。この位相ずれは、本発明の機能を最適にするよう選択される。
【００１３】
物体が振動しはじめると（自然に、もしくは外部の励起に応答して）、測定点の振動が物体から送り出される信号波を位相変調する。このシステムの目的は、この位相変調を、輝度変調に変換することであり、この輝度変調は振動に固有の電気信号に変換される。この変換は、振動の周波数と振幅の両方に依存する。振幅が非常に小さく（利用する光の波長と比べて）、周波数が非常に高い（動的ホログラフィー材料の応答時間の逆数と比べて）振動については、先行技術による解決法が知られている。
これは、たとえば、動的ホログラフィー材料内に記録されるホログラムを妨害するのに、位相変調が過剰に速く、また振幅が過剰に小さい超音波振動の場合である。これは、振動の観点からは静的であり、この静的ホログラム上の静的なポンプ光の回折から生じた局部発振光は、それ自体静的である。これは、超音波振動によって位相変調され、発信信号光と同時に検出器上に送り出される。検出器上に送られたこれら２つのビーム間の位相ずれΦγがπ／２（４分の１周期だけ位相のずれた波）に等しい場合、この２つの信号光と局部発振光間との干渉は、位相変調を輝度変調に変換し、次に超音波振動の振幅に直接比例する電気信号に変換する。２波混合の装置は、それゆえ、超音波振動の測定にうまく適用される。
【００１４】
しかしながら、（高周波数のままで）測定対象の振動の振幅を増幅しようとすると、技術明細書に記載の装置は直ちに機能しなくなる。実際、振動の振幅が（光の波長に比べて）大きいと、まず第一に、装置の応答が線形でなくなり、次にホログラムは位相変調によって消される。これは、局部発振光を消し、測定電気信号を除去する。故に、この装置では、振幅が大きく周波数の高い振動を測定することはできない。
【００１５】
この問題は、（動的ホログラフィー材料の応答時間の逆数に比べて）低い周波数の振動の場合、本発明によって解決され、また振幅の大きな振動を測定することができる。低い周波数では、記録されるホログラムは静的でなくなり、位相変調に関わる法則にしたがって移動する。しかしながら、これは、この位相変調の変化の頻度に依存する一定の遅延を以ってこの変調に従う（緩慢である分余計にこれに従う）。ホログラムの移動によって遅れた位相変調は局部発振器に送られ、送られた信号波と４分の１周期だけ位相のずれた状態で干渉する。この電気信号は、次に位相変調の導関数に比例し、またそのため振動体の瞬間速度に比例する。変位の振幅が大きい場合の飽和は常に存在するが、これはかなり緩和されており、またこれは動的ホログラフィー材料の応答時間によって制御できる。所与の周波数では、この飽和に相当するこの値は、ホログラフィー材料の応答時間が短くなるためいっそう大きくなる。
【００１６】
本発明は、（動的ホログラフィー材料の応答時間に比較して）低い周波数で（利用する光の波長に比較して）大きい振幅の振動の測定への機能状態の拡張を可能にする動的ホログラフィー材料内での２波混合の装置の独創的な適用である。効果的に利用されてきたどの装置でも、このホログラムは、常に振動の時間スケールに固定されたものとみなされてきた。どの装置も、振動の検出に動的ホログラムを利用していない（ドップラーシフトの測定に一時的な光起電力を利用した、非常に異なる装置は除く）。
【００１７】
本発明には、同様に、一時的な開発期間全体を通じて、過渡的な信号の調査が可能であるという利点がある。
【００１８】
実際に、商業的に処分可能な振動センサーが存在する。これらはコヒーレント検出装置に基づいている（ホモダインまたはヘテロダイン）。非常に高性能であるが、これらのセンサーは、拡散面に使用されると能率がすぐに著しく低下し、これは、試験対象の物体の表面を磨くのでないかぎり、測定の妨げになる場合が多い。しかし、調査対象の物体を磨くことが不可能な一定数の領域が存在する。
【００１９】
【発明の実施の形態】
本発明は、非限定的な実現例との関連において、以下に詳細に説明される。
【００２０】
図１は、本発明に従った２波混合速度計の実現例の概略図である。発信されるビームを使って（Φγ＝π／２）、４分の１周期だけ位相のずれた回折光を得るために、また利用可能な材料のタイプによって、様々な構造が可能である。レーザー（１）からの光は、ビーム・セパレータ（２）によって２つに分けられる。２つのビームのうちのひとつである参照ビーム（３）は、動的ホログラフィー材料（４）の中に送られてポンプ光を形成する。もう一方のビームである測定ビーム（５）は、振動測定対象の標的（６）上に送り出される。標的（６）から送り返される光は、集光されて動的ホログラフィー材（４）上に集光および送出され、信号光（１４）を形成する。
【００２１】
これらのビームの搬送（信号光もポンプ光も）は、コアの太いマルチモードファイバーで行うことができ、進路のそれた測定が可能である。ホログラフィー材料（４）を横切った後の信号光（７）は検出器（８）上に送られ、電気信号を与える。この電気信号は、その後に電子システムで処理される。この基本的な装置は、送信信号（７）と４分の１周期だけ位相のずれた回折光（７）が得られるよう、光学的手段により実行される。Φγ＝π／２を得るには、いろいろな可能性も存在する。それらの導入は、主として、動的ホログラフィー材料（４）の性格に依存する。
【００２２】
第１の可能性は、記録するホログラムが局部となる、つまり、電圧をかけたフォトリフラクティブ材料などのように照明像と適合した、動的ホログラフィー材料（４）を利用することである。この場合には、直接、Φγ＝π／２が得られる。検出器（８）を置くだけで十分である。
【００２３】
第２の可能性は、電界を加えないフォトリフラクティブ材の場合と同様に、照明格子に対してホログラムの位相ずれがπ／２の材料を利用することである。この場合には、自動的にΦγ＝０となる。これは、装置の効率がゼロであることを意味する。したがって、Φγ＝π／２を得るには、外的方法で補助位相ずれを追加する必要がある。複数の可能性が存在する。
【００２４】
第一の解決法は、入射光（３、５、または１４）を偏光させ、ポンプ光は方向Ｘに従い、そして信号光（１４）はそれと４５°の角度にすることである。
【００２５】
信号光（１４）は、ＸとＹという２つの偏光方向に従う、同じ振幅の２つの成分からなり、ＹはＸに直交する方向を示す。信号光（１４）のＸに従う偏光成分は、ポンプ光（３）でホログラムを書き、このようにして、Ｘに従う偏光した回折ビームを生成する。
【００２６】
発せられたビーム（７）は、ＸとＹに従う２つの成分をもつ。結晶（４）の後に、ＸおよびＹ方向に従う軸をもち、そしてＸに従って偏光した回折光（７）との関連で発せられた信号光（７）のＹに従う成分の位相をπ／２ずらす位相板（１３）を配置する。次に、ＸおよびＹ方向の４５°の角度に向けられた立方体偏光セパレータ（１８）を配置することによって、これらの２つの成分を干渉させ、この立方体から発するこれら２つのビームを２つの検出器（８）上に送る。この２台の検出器（８）では、それぞれ＋π／２および−π／２に等しい位相ずれに対応する２つの信号がある。次に、測定の最終信号を得るために２つの電気信号を区別する。
【００２７】
このタイプのホログラムでは、回折ビームが書込光に直交して偏光される異方性回折構成と呼ばれる特定の構成の中でフォトリフラクティブ結晶を利用することもできる。したがって、前の装置には、Ｘに従って偏光された２本の入射光を利用することができ、回折光Ｙに従って偏光される。以前のもの（位相板がＸとＹに従い、また位相がπ／２ずれた向きに配置され、次に立方体偏光セパレータが４５°の角度に配置され、２台の検出器（８）上にビームを送る）と同一の光学系を配置することによって、差動信号がもう一度得られる。
【００２８】
これら２つの装置は、ホログラムが照明格子（電界下のフォトリフラクティブ結晶の場合）に対して何がしかの位相ずれを有するホログラフィー材（４）に一般化できる。このような場合には、装置は前例と同じであり、位相板は、単に回折光と発信信号との間の総位相差Φγをその最適値π／２にする役割を果たす位相ずれ変数を持つだけである。
【００２９】
利用される材料は、大抵は、動的ホログラフィー材料（４）、つまり２本のビームの干渉によって成立する照明構造によってこれらのビームのひとつのホログラムが生成される材料であり、このホログラムは動的である。つまり、課せられた仕様に応答するシステムを得るのに十分はやく、照明の構造の変化に追従する。動的ホログラフィー材料の中では、フォトリフラクティブ材料の使用が有利である。フォトリフラクティブ結晶の中でも、ＧａＡｓ、ＩｎＰなどのＩＩＩ−Ｖ半導体、ＣｄＴｅやＺｎＴｅなどのＩＩ−ＶＩ半導体、あるいは量子井戸をもつ構造体と同様、シレナイトも利用できる。この装置は、ホログラフィー技法に基づくすべての装置と同様、多チャンネル処理またはイメージの範囲内で、複数の点上でのパラレル測定を可能にする。
【００３０】
本発明に基づく方法は、ホログラムを記録する動的ホログラフィー材料（４）の利用に基づいている。これは、位相または振幅のホログラムであってもよい。一連の説明は、位相または指数格子のホログラムを検討することによって行われる。これは、振幅または吸収格子のホログラムの場合の検討に簡単に適用可能である。このホログラムは、動的ホログラフィー材料（４）の上で、標的（６）から出る信号光（１４）（振幅Ｅｓおよび強度Ｉｓ）と同じレーザーから出るポンプ光（３）（振幅Ｅｐと強度Ｉｐの）とを干渉させることによって得られる。静的な状態では、ホログラムは指数の変化であり、その振幅Δｎは、これら２本のビーム（積２ＥｓＥｐ＊／（Ｉｓ＋Ｉｐ）によって与えられる）の間の干渉の項ｍに比例する。ホログラムは動的で、これは、一定時間後にその静止状態に到達することを意味する。このダイナミックスは、リアルタイムの定数をもつすぐれた運動法則によって（一般性を失うことなく）与えられる。ホログラムは数量Δｎによって特徴付けられ、そのためこの数量は次の変化の規則に従う（Ｇは、指標格子の力を与える比例定数である）。
【００３１】
【数１】
0004405673.tif 000002
【００３２】
標的（６）が振動すると、これは、信号光（１４）上での（標的（６）の変位δ（ｔ）に比例した）過渡的な位相変調φ（ｔ）の導入によって、また規則（Ｅｓ（ｔ）＝Ｅｓ０ｅｉφ（ｔ））に従う干渉像の変位によって表現される。そのため、数式の中で干渉する干渉縞（ｍの別名）の変調は、時間（ｍ（ｔ）＝ｍ０ｅｉφ（ｔ））の中で変化する数量である。
【００３３】
動的ホログラフィー材料（４）の中で干渉する信号光（１４）とポンプ光（３）は、動的ホログラムを形成し、これは、標的（６）の振動によって生成される位相変調にある程度簡単に追従する。また、これら２本のビームは、それらが記録するホログラム上で回折する。特に、ポンプ光（３）は、ホログラム上で回折して、発信される信号光（７）の方向に伝播する光を与える。
【００３４】
速度計の利用条件は、動的ホログラフィー材料の応答時間τに依存する。たとえば、振幅δと周波数ｆの正弦波振動の場合におけるτとｆδの間の関係は、次の条件によって固定される。
【００３５】
【数２】
0004405673.tif 000003
【００３６】
振幅が大きく周波数が非常に低い振動を、高周波数で小さい振幅の振動として検出できるが、高周波数で大きい振幅の振動は測定できない。
【００３７】
この装置（図１）は、ＣｄＴｅのフォトリフラクティブ結晶内の２波混合の装置である。この結晶は、異方性回折構成で、出口では、Φγ＝π／２の位相ずれを生成する役割を果たす１／４波板（１３）と、その後には１／２波板（１７）、そして４５°の角度に置かれた立方体偏光セパレータをシミュレートする立方体偏光セパレータ（１８）と一緒に使用される。異方性回折の真実の組立てに対して、出口の差動特性だけが保持されない。ポンプ光（３）の上で遅延ラインが取り付けられ、これは簡単に除去することも、また取り替えることもできる。これを除去する場合は、ポンプ光（３）が鏡（１５）上に送られ、これがマッハ‐ツェンダー干渉計の２番目のセパレータ板を構成するガラス板上にビームを送り返す。（一番目は、２波混合組立てのポンプ光（３）と信号光（１４）を生成するガラス板（２）である。そのため、２波混合の組立てから、位相ずれの直接測定が可能な普通の干渉計へ簡単に移ることができる。レーザーの出口で、１／２波板（１１）とポラライザー（１０）は、フォトリフラクティブ結晶（４）上での入射力とフォトリフラクティブ効果の時間定数を変化させることができる。利用する周波数を考慮に入れると、この周波数がフォトリフラクティブ結晶の応答時間の逆数に対して低くなる構成（強い照明）から、この周波数がフォトリフラクティブ結晶の応答時間の逆数に対して高くなる構成へ移る。我々が関心をもつ機能の状態は強照明のそれであるのに対して、弱い照明の状態は、超音波の検出器（８）として機能する２波混合の装置に相当する。
【００３８】
実行された最初の測定の中に、大きい振幅とフォトリフラクティブ結晶の応答時間の逆数に比べて低い周波数の正弦波位相差（約２π）が送り出される（短い応答時間は強い入射照明に帰せられる）。図２は、２波混合の装置で得られた応答（太い線の曲線）とマッハ‐ツェンダー干渉計で得られた装置で得られた応答（細い線の曲線）との比較を示している。これら２つの場合に圧電ゲージに送られる信号は点線で示されている。
【００３９】
この測定は、マッハ‐ツェンダー干渉計を使って行われ（ほとんど４分の１周期位相をずらした状態に調整）、２波混合の速度計から与えられる応答と比較される。πを越える位相ずれが、およそ（３π／２）ｓｉｎ（２πｆｔ）と予想される圧電鏡を原因とする位相ずれに対応する重畳した複数の応答によって、マッハ‐ツェンダーの複雑な応答を発生させることが、曲線上で確認できる。２波混合の速度計の場合には、応答は、ほぼ正弦波であり（第２高調波のひとつの成分が見え始める）、初期位相ずれに比べてπ／２位相がずれている。このπ／２の位相ずれは正弦波の導関数に対応しているため、理論通り、標的（６）の瞬間速度に比例し、さらに大きな変位の測定を可能にする応答が得られる。
【００４０】
図３は、大きな値の照明（点線の曲線）と弱い照明（実線の曲線）について、振幅の大きな正弦波位相変調への応答信号を表している。太線の曲線は、弱照明で、位相差を１０で割ったときの測定値である。
【００４１】
図１に示す装置では、速度計の周波数での応答の指示を２波混合により得ることができる。位相変調の周波数がフォトリフラクティブ結晶の応答時間の逆数に対して大きくなるよう、照明を下げる。２波混合の機能では、大きな位相ずれは測定できない。複数の縞の上の照明図の振動は、図３の細い線の曲線に見るとおり、格子の消失を起こし、応答内に上位の高調波が出現すると同時に位相の測定の効率の低下をもたらす。この位相ずれで線形挙動を認めるには、この条件で、正弦波位相ずれの振幅を下げなければならない。因数１０の位相ずれの振幅を下げた図３の太線の曲線はこれを示している。
【００４２】
図４は、弱照明（太線）および強照明（灰色の線）での弱い正弦波位相差に対する応答を示している。細い線で示しているのは、圧電ゲージに送られる信号である。
【００４３】
この信号は、位相ずれが大きく照明力が大きい（低周波数の状態）ときに得られた点線の曲線とは反対に、位相ずれと調和している（この図ではこの２つの曲線は、トリガーレベルの変更という完全に偶発的な理由によって調和している）。この点は、次の図（図４）上でさらに詳細に確認できる。この曲線では、小さい位相ずれ（＜π）を測定し、すべてを一定に保ちながら入射照度を変化させ、低周波数状態（強照度）から高周波数状態（弱照度）に移る。低周波数では、２波混合は導関数として働き、これは、初期位相差（細い線で示した曲線）に対して２波混合（薄い色の線で示した曲線）応答との間でπ／２の位相ずれを起こす。高周波数である間は、これは初期位相ずれに直接比例する（太い線で示した曲線）。これはこれら２つの曲線が調和しているという事実を表している。
【００４４】
図５は、弱い照度（太い線）と強照度（灰色の線）での三角形の位相ずれに対する応答を示している。細い線で示しているのは、圧電ゲージに送られた信号である。導関数の挙動は、圧電鏡上に弱振幅の三角形の信号（図５）をみるとき、さらに自明となる。低周波数では、この信号の変動（薄い色の線）を測定する。これは、四角形の信号であるが、高周波数ではまた、検出器（８）上で得られた三角形の信号（太い線の曲線）が示す通り、位相差に比例している。
【００４５】
最後に、最終の一連の測定（図６）の中で、我々は一定の照度と弱振幅の三角形の位相ずれを保持し、そして我々は、位相ずれの周波数に１００を乗じて、低周波数領域から直接高周波数領域に移った。ここにおいても、測定された信号は、信号の導関数に対応する四角形（薄い色の曲線）から、高周波数（超音波センサー）で得られた位相ずれ（太い線の曲線）に比例する応答に相当する三角形に移行する。
【図面の簡単な説明】
【図１】  ２波混合の速度計の機能を有効にするために利用される実験的な装置図である。
【図２】  ２波混合の装置で得られた応答（太線の曲線）とマッハ・ツェンダー干渉計で得られた応答（細い曲線）との比較である。これらの２つの場合に圧電ゲージに送られる信号は点線で示されている。
【図３】  照度が強い値の場合（点線の曲線）と弱い値の場合（細い曲線）における、大きい振幅の正弦波位相変調への応答信号である。太線の曲線は、弱い照度で、位相ずれを１０で割ったときの測定を示している。
【図４】  弱い照度（太線）と強い照度（薄い色の線）での弱い正弦波位相ずれへの応答である。細線で示されているのは、圧電ゲージに送られる信号である。
【図５】  弱い照度（太線）と強い照度（薄い色の線）での弱い三角形の位相ずれへの応答である。細線で示されているのは、圧電ゲージに送られる信号である。
【図６】  弱い照度（薄い色の線）での弱い三角形の位相ずれへの応答である。１００を乗じた周波数で同じ条件で得られる信号である。細線で示されているのは、圧電ゲージに送られる信号である。
【図１】
0004405673.tif 000004
【図２】
0004405673.tif 000005
【図３】
0004405673.tif 000006
【図４】
0004405673.tif 000007
【図５】
0004405673.tif 000008
【図６】
0004405673.tif 000009